(57)【要約】      （修正有）【課題】雨よけ・日よけとして仮設的に使用されるシートにおいて屋根の上に土嚢や砂袋、水の入った袋等の重しを持ち上げる作業をなくすことができる重し形成用ポケット付き合成樹脂製シートを提供する。【解決手段】表面に複数の重し形成用ポケット１１０を備えた合成樹脂製シート１００であって、重し形成用ポケットは、合成樹脂シートに接する裏面シートと表面シートとから形成される袋状形状を有しており、外部より供給される５．０〜１０．０リットルの水を貯蔵するための水貯蔵部と、裏面シートを合成樹脂シートに固定するための接着部と供給される水を水貯蔵部に供給するための開口部Ｏと開口部とは反対側の端に排水用ノズル部を備えており、水貯蔵部は、表面シートと裏面シートの一部が溶着することにより形成された溶着部により複数に分割されている。【選択図】図１
0003233559.tif 000002
【実用新案登録請求の範囲】
【請求項１】
表面に複数の重し形成用ポケットを備えた合成樹脂製シートであって、
前記重し形成用ポケットは、前記合成樹脂シートに接する裏面シートと表面シートとから形成される袋状形状を有しており、外部より供給される５．０〜１０．０リットルの水を貯蔵するための水貯蔵部と、
前記裏面シートを前記合成樹脂シートに固定するための接着部と、
前記供給される水を前記水貯蔵部に供給するための開口部と、
前記開口部とは反対側の下端に排水用ノズル部を備えており、
前記水貯蔵部は、前記表面シートと前記裏面シートの一部が溶着することにより形成された溶着部により複数に分割されていることを特徴とする重し形成用ポケット付き合成樹脂製シート。
【請求項２】
前記表面シートの上端部と前記裏面シートの上端部とを噛み合わせ、又は、離すことにより前記重し形成用ポケットを開閉するための留め部材を備えていることを特徴とする請求項１に記載のポケット付合成樹脂製シート。
【請求項３】
前記水貯蔵部は、複数の空気孔を備えていることを特徴とする請求項１又２に記載のポケット付合成樹脂製シート。
【請求項４】
合成樹脂製シートが、厚さ０．２６〜０．５０ｍｍのブルーシートであることを特徴とする請求項１〜３いずれか１項に記載のポケット付合成樹脂製シート。
【考案の詳細な説明】
【技術分野】
【０００１】
本考案は、建物やテントなどの雨よけ・日よけとして仮設的に使用されるブルーシートに取り付けることができ、水を貯蔵することによりブルーシートの重しとなるポケットを備えた合成樹脂製シートに関するものである。
【背景技術】
【０００２】
最近、台風の大型化・長期化に伴い、建物（家屋、店舗、倉庫、畜舎など）の屋根が破損する被害が多く発生している。そして、被害件数の多さなどから、専門業者による修理までに時間を要するケースが少なくない。
【０００３】
上記ケースでは、市販の（あるいは配給された）ブルーシートで屋根の破損した箇所を覆い、その上に「重し」として土嚢や砂袋、レンガ、ブロック等を置き、それら重しを紐で固定する、といった仮設対応が取られることが一般的である。ところが、高い屋根の上に土嚢などの重しを持ち上げる作業は、決して容易ではなく、特に、女性や高齢者にとっては重労働であった。
【０００４】
加えて、その後の天候によっては、雨漏りの虞がある箇所の補強に迫られたり、強風にあおられて、ブルーシートがめくれてしまったり、重しがずれたり落下することがある。このため、重しの位置を変更し、再び屋根の上に重しを運ぶ必要に迫られる等の問題もあった。しかも、ブルーシートを屋根から撤収する際には、使用後のブルーシートの重しを屋根から安全に降ろさなければならない。
【０００５】
このような仮設後の天候対策を考慮して、ブルーシート（Ａ）の表面に接着した外袋（Ｂ）の中に、水を密封したポリエチレン製内袋（Ｃ）を重しとして入れた雨漏り防止具が提案されている（例えば、特許文献１）。しかしながら、特許文献１に記載された技術では、３Ｌ（リットル）の水の入った内袋（Ｃ）を何本も屋根の上に運ぶことは容易とは言えないうえ、撤収する際に、各内袋（Ｃ）に千枚通しで穴を開けて排水させる作業は、手間と時間がかかるものであった。また、一度穴を開けてしまった内袋（Ｃ）は、再利用できないので、廃材（災害ごみ）を増やしかねない。
【先行技術文献】
【特許文献】
【０００６】
【特許文献１】実用新案登録第３１１６５７２号公報
【考案の概要】
【考案が解決しようとする課題】
【０００７】
本考案は、従来技術が抱えている上述した実情に鑑みて開発されたものであり、その目的とするところは、建物やテントなどの雨よけ・日よけとして仮設的に使用されるシートにおいて、屋根の上に土嚢や砂袋、水の入った袋等の「重し」を持ち上げる必要があった点と、使用後に、それら重たい「重し」を屋根から降ろさなければならなかった点を改善することである。
【課題を解決するための手段】
【０００８】
本考案は、高い屋根の上に重しを持ち上げる作業、および、該重しを屋根の上から降ろす作業をなくすために、屋根を覆う合成樹脂製ポケットシートの表面に、５．０〜１０．０Ｌ（およそ５〜１０ｋｇ）の水を溜めることができる重し形成用のポケットを備えた重し形成用合成樹脂製ポケットシートであり、
前記重し形成用ポケットは、前記合成樹脂シートに接する裏面シートと表面シートとから形成される袋状形状を有しており、外部より供給される５．０〜１０．０リットルの水を貯蔵するための水貯蔵部と、
前記裏面シートを前記合成樹脂シートに固定するための接着部と、
前記供給される水を前記水貯蔵部に供給するための開口部と、
前記開口部とは反対側の下端に排水用ノズル部を備えており、
前記水貯蔵部は、前記表面シートと前記裏面シートの一部が溶着することにより形成された溶着部により複数に分割されていることを特徴とする重し形成用ポケット付き合成樹脂製シートである。すなわち、本考案の重し形成用合成樹脂製ポケットシートは、該ポケットシートが備えている水貯蔵部が分割されており、かつ、該ポケットシートの下端に排水用ノズル部を設けることを最も主要な技術的特徴とする。
【０００９】
なお、本考案の重し形成用合成樹脂製ポケットシートは、（ａ）前記表面シートの上端部と前記裏面シートの上端部とを噛み合わせ、又は、離すことにより前記重し形成用ポケットを開閉するための留め部材を備えていること、（ｂ）前記水貯蔵部は、複数の空気孔を備えていること、（ｃ）上記合成樹脂製シートとしては、厚さ０．２６〜０．５０ｍｍのブルーシートであること等が好ましい手段であると考えられる。
【考案の効果】
【００１０】
本考案の重し形成用ポケット付き合成樹脂製シートは、屋根の破損した箇所を覆うために使用することができ、当該重し形成用ポケットシートに水を注入することにより、それら水の入ったポケットが合成樹脂製シートの「重し」となるので、高い屋根の上に土嚢などの重しを持ち上げる作業をなくすことができる。また、本考案の重し形成用ポケット付き合成樹脂製シートは、ブルーシート等の合成樹脂製シートを屋根から撤収する際には、水の入った重し形成用ポケットの排水用ノズル部から水を容易に排出できる。
【００１１】
このため、本考案の重し形成用ポケット付き合成樹脂製シートのユーザは、屋根の上から重たい重しを降ろす重労働から解放される。さらに、本考案の重し形成用ポケット付き合成樹脂製シートを洗浄・乾燥後に、再利用することも可能である。さらに、個々の重し形成用ポケットにおいて、水を入れたり出したりできる（水量を適宜調節できる）ので、使用中に、重しの重量はもとより、位置や数などを容易に変更することができる。
【００１２】
なお、本考案の重し形成用ポケット付き合成樹脂製シートは、破損した屋根のみならず、荒天が起こる前に、瓦屋根などの破損を防ぐことを目的として用いることもできる。また、お祭りや展示会、運動会等で張られるイベントテント（パイプテントなど）の天幕（雨よけ・日よけ）として使用してもよい。
【図面の簡単な説明】
【００１３】
【図１】第１実施形態の重し形成用ポケット付き合成樹脂製シートを説明するための模式的な平面図である。
【図２】第１実施形態の重し形成用ポケット付合成樹脂製シートが備えている重し形成用ポケットの拡大図であり、（Ａ）は水が供給される前の重し形成用ポケットの一例を説明する図、（Ｂ）は（Ａ）の重し形成用ポケットの使用状態の概略斜視図である。
【図３】重し形成用ポケットの他の例を説明する図である。
【図４】第２実施形態の重し形成用ポケット付き合成樹脂製シートを説明するための模式的な平面図である。
【図５】第３実施形態の重し形成用ポケット付き合成樹脂製シートを説明するための模式的な平面図である。
【考案を実施するための形態】
【００１４】
＜第１実施形態＞
以下、図面に基づいて、本考案の重し形成用ポケット付き合成樹脂製シート１００について説明する。図１は、第１実施形態の重し形成用ポケット付き合成樹脂製シートを説明するための模式的な平面図である。図１に示されるように、重し形成用ポケット付き合成樹脂製シート１００は、重し形成用ポケット１１０と合成樹脂製シート１２０とを備えている。
【００１５】
重し形成用ポケット１１０は、合成樹脂製シート１２０の外部表面に配置されている。単数又は複数の重し形成用ポケット１１０が合成樹脂製シート１２０に配置されている。また、複数個の重し形成用ポケット１１０は、合成樹脂製シート１２０に必要に応じて規則性を以って並べられて接着されていてもよいし、合成樹脂製シート１２０が敷設される屋根等の形状に合わせてランダムに配置されていてもよい。すなわち、合成樹脂製シート１２０の表面に設けられる重し形成用ポケット１１０の形状、個数、位置、間隔等は、合成樹脂製シート１２０のサイズや材質、被覆される屋根の種類や形状、あるいは重し形成用ポケット付き合成樹脂製シート１００の使用場所や使用目的などによって適宜選定される。
【００１６】
図１において、点線で囲まれた斜線部Ｒは、ブルーシート等の合成樹脂製シート１２０が被覆する屋根の棟を示す。上記斜線部Ｒは、屋根の一番高い部分、又は屋根面の交わる稜線部分などを覆うと好ましい部分（以下、「棟被覆部分Ｒ」とも言う）を示す。この棟被覆部分Ｒは、実際に合成樹脂製シート１２０上に表記しておいてもよいし、標記しなくてもよい。また、棟被覆部分Ｒの位置や形状、数、面積などは、特に限定されない。形成用ポケット付き合成樹脂製シート１００においては、棟被覆部分Ｒを後述する第２実施形態（図４参照）や第３実施形態（図５参照）のように設定することもできる。
【００１７】
重し形成用ポケット付き合成樹脂製シート１００が備えている重し形成用ポケット１１０の開口部Ｏは、すべて棟被覆部分Ｒ方向に向いている。すなわち、上段部分に位置する重し形成用ポケット１１０と下段部分に位置する重し形成用ポケット１１０は、棟被覆部分Ｒを境界として、重し形成用ポケット１１０の開口部Ｏと反対に位置する排水用ノズル部１１６が棟被覆部分Ｒを頂点として下向きとなるように配置されている。
【００１８】
重し形成用ポケット１１０の開口部Ｏを棟被覆部分Ｒに向けるように配置することにより、重し形成用ポケット１１０に水を入れた後に重し形成用ポケット１１０が重しとしてバランスを十分に取ることができる。なお、水平な屋根（例えば、陸屋根など）や傾斜が緩い屋根では、水を入れた重し形成用ポケット１１０の開口部Ｏを塞いで用いてもよい。
【００１９】
本考案の重し形成用ポケット付き合成樹脂製シート１００を構成する合成樹脂製シート１２０は、ポリオレフィン系樹脂、ポリ塩化ビニル系樹脂、ポリエステル系樹脂、ポリカーボネート系樹脂、ポリウレタン系樹脂、シリコーン系樹脂などから選ばれる少なくとも１つの樹脂を主体とすることが好ましく、雨よけ・日よけとして、一般に市販されている屋外用防水シート、例えば、ブルーシートやタープ（ターポリン）などをそのまま用いることもできる。合成樹脂製シートの厚みは、薄すぎれば、耐久性に劣り、厚すぎれば、取扱性に劣るので、好ましくは０．２６〜０．５０ｍｍである。
【００２０】
合成樹脂製シート１２０の表面に備えられる重し形成用ポケット１１０の材質や厚みについては、収納性、運搬性などを考慮すると、折りたたみやすい材質や厚みが好ましい。また、それぞれの重し形成用ポケット１１０の形状や大きさなどについても、５．０〜１０．０Ｌの水を溜めることができれば、揃っていても、揃っていなくてもよい。重し形成用ポケット１１０の容量が１０．０Ｌを超えてしまうと、各ポケットが嵩張り、良好な収納性・運搬性が得られにくくなり、５．０Ｌ未満だと、合成樹脂製シート１２０に載置する重しとしての役割を果たせない場合があるため好ましくない。
【００２１】
なお、重し形成用ポケット付き合成樹脂製シート１００を建物やテント等の雨よけ・日よけとして仮設的に使用する際には、棟被覆部分Ｒが屋根の一番高い部分、又は屋根面の交わる稜線部分などをカバーするように覆うことが好ましい。なお、重し形成用ポケット付き合成樹脂製シート１００のうち軒から垂れ下がった部分は、例えば、内側（軒天側）に折り畳み、粘着テープ、タッカーなどで止着することもできる。
【００２２】
図２は、第１実施形態の重し形成用ポケット付き合成樹脂製シート１００が備えている重し形成用ポケット１１０の拡大図である。図２（Ａ）は、水が供給される前の重し形成用ポケット１１０の一例を説明する図である。図２（Ａ）に示されるように、重し形成用ポケット１１０は、表面シート１１１と合成樹脂シート１２０に接する裏面シート１１２から形成される袋状形状を有している。重し形成用ポケット１１０は、水貯蔵部１１３を備えている。水貯蔵部１１３は、５．０〜１０．０リットルの水を貯蔵することができるように形成される。
【００２３】
水貯蔵部１１３は、表面シート１１１と前記裏面シート１１２の一部が溶着することにより形成された溶着部１１４により複数に分割されている。水貯蔵部１１３が溶着部１１４によって分割されることにより、水貯蔵部１１３の強度が向上する。溶着部１１４は、複数設けられていることが好ましい。溶着部１１４は、分割される水貯蔵部１１３の形状によって適宜定めることができる。溶着部１１４は、表面シート１１１と裏面シート１１２とを熱により溶着されることにより形成することができる。なお、実施形態では溶着部１１４が幅方向に延伸しているが、これに限られず長手（縦）方向に延伸していてもよい。
【００２４】
重し形成用ポケット１１０は、裏面シート１１２に合成樹脂シート１２０に固定するための接着部１１５を備えている。接着部１１５は、少なくとも裏面シート１１２の上端部に設置されていることが必要である。接着部１１５が裏面シート１１２の上端部に設置されることにより、水貯蔵部１１３に水を安定して供給することができ、水が供給された後の重し形成用ポケット１１０を安定して合成樹脂シート１２０に固定することができるからである。
【００２５】
さらに、重し形成用ポケット１１０には複数の接着部１１５が設けられていてもよい。複数の接着部１１５が設けられることにより、裏面シート１１２と合成樹脂シート１２０とが強固に固定されるため好ましい。接着部１１５は、裏面シート１１２に合成樹脂シート１２０を固定することができるものであれば、特に制限されるものでないが、両面テープ、耐水性接着剤等を例示することができる。
【００２６】
重し形成用ポケット１１０は、供給される水を水貯蔵部１１３に供給するための開口部Ｏを備えている。開口部Ｏは、重し形成用ポケット１１０を重しとするために必要な水を供するための導入口である。開口部Ｏの形状は、外部より水を供給することができる形状であれば、特に制限されるものでなく、水貯蔵部１１３の密閉性を向上させる形状であることが好ましい。外部のホースから供給される水を開口部Ｏから導入することができる。重し形成用ポケット付合成樹脂製シート１００で屋根などを覆った後、これら複数の重し形成用ポケット１１０のうち、所望の箇所（すなわち、「重し」が必要な箇所にある重し形成用ポケット）に５．０〜１０．０Ｌの水をホースなどで入れることにより、それら水の入った重し形成用ポケット１１０がブルーシート等の合成樹脂製シート１２０を押さえて固定する「重し」となる。なお、ホースで開口部Ｏに直接的に水を入れることに限られず、離れた場所から散水することにより水を入れても良い。
【００２７】
重し形成用ポケット１１０は、開口部Ｏとは反対側の下端に排水用ノズル部１１６を備えている。排水用ノズル部１１６は、コック１１７などを備えていてもよい。
【００２８】
図２（Ｂ）は、水が供給される前の重し形成用ポケット１１０の他の一例を説明する図である。図２（Ｂ）に示されるように、重し形成用ポケット１１０に先端部が閉鎖されているノズル部１１６を設けることが好ましい。排水の際には、ノズル部１１６の先端部をハサミ等でカットすることにより、容易に排出することができるからである。また、一度水を排出した重し形成用ポケット１１０を再利用する場合には、排水用ノズル部１１６をポケット上端（開口部Ｏ）側に折り曲げて、止水材（例えば、クリップ、面ファスナー、再剥離性を有する止水テープなど）で止ればよい。
【００２９】
したがって、本考案では、重し形成用ポケット付き合成樹脂製シート１００を屋根から撤収する際には、前述のようにノズル部をハサミ等でカットすることにより、水の入った重し形成用ポケット１１０の排水用ノズル部１１６から水がスムーズに排出され得る。その結果、屋根の上から重たい「重し」を降ろす重労働から解放される。加えて、重し形成用ポケット付き合成樹脂製シート１００の使用中（屋根などを覆っている最中）においては、個々の重し形成用ポケット１１０において、重し形成用ポケット１１０に供給される水量を適宜調節でき、また「重し」が必要な箇所の位置や数、その重量なども容易に変更することができる。
【００３０】
図２（Ｂ）は、図２（Ａ）に示された重し形成用ポケット１１０の使用状態の概略斜視図である。図２（Ｂ）に示されるように、重し形成用ポケット１１０に水が供給されると水貯蔵部１１３は、溶着部１１４によって分割される。その結果、分割された水貯蔵部１１３は、強度に優れたものとなる。すなわち、重し形成用ポケット付き合成樹脂製シート１００の水貯蔵部１１１は、溶着部１１４によって分割されているため、重し用の水が供給されることにより重し形成用ポケット１１０が膨張しても力の分散によって、重し形成用ポケット１１０全体の強度を保持することができる。
【００３１】
また、本考案の重し形成用ポケット付き合成樹脂製シート１００では、設けられた全ての重し形成用ポケット１１０に水を入れなくてもよく、合成樹脂製シート１２０の必要な所に対応した重し形成用ポケット１１０にだけ水を入れることができる。図２（Ｂ）中の符号Ｐは、重し形成用ポケット１１０のうち、合成樹脂製シート４の表面に接触している部分（以下、「張付け面Ｐ」ともいう。）を示す。この張付け面Ｐの形状は、特に限定されない。なお、重し形成用ポケット１１０に張付け面Ｐが存在しないものであってもよい。すなわち、重し形成用ポケット１１０が合成樹脂製シート１２０と一体成形されたものであってもよい。
【００３２】
このため、例えば、屋根の破損した箇所を覆っている部分に設けられた重し形成用ポケット１１０には、水を供給しないことにより、重し形成用ポケット付き合成樹脂製シート１００の破損箇所への凹み（たわみ）などを回避できる。また、その後の天候を考慮し、例えば、風が弱い日が続くようであれば、「重し」が必要な箇所の各ポケットに水を２．０〜５．０Ｌ程度入れておき、必要となる残りの水は、雨水や雪などで満たすことも可能である。
【００３３】
＜第２実施形態＞
次に、本考案の第２実施形態に係る重し形成用ポケット付き合成樹脂製シート２００について説明する。この実施形態に係る重し形成用ポケット付き合成樹脂製シート２００は、上記実施形態の重し形成用ポケット付き合成樹脂製シートにおいて、表面シート１１１の上端部と裏面シート１１２の上端部とを噛み合わせ、又は、離すことにより前記重し形成用ポケットを開閉するための留め部材を備えていることを特徴とする。
【００３４】
図３は、重し形成用ポケット付き合成樹脂製シート２００が備えている重し形成用ポケット２１０の他の例を説明する図である。図３に示されるように、重し形成用ポケット２１０は、重し形成用ポケットの開口部Ｏを開閉するための留め部材２１１を備えていることを特徴とする。留め部材２１１は、表面シート１１１の上端部と裏面シート１１２の上端部とを噛み合わせ、又は、離すことにより重し形成用ポケット１１０を開閉することができる部材である。重し形成用ポケット１１０への水を供給した後、留め部材２１１を閉じることにより、外部より雨水、ごみ、埃、昆虫等が重し形成用ポケット１１０に混入することを防止することができる。特に、留め部材２１１を備えることにより、重し形成用ポケット１１０に供給された水にボウフラが湧くことを防止することができる。留め部材２１１は、表面シート１１１の上端部と裏面シート１１２の上端部とを噛み合わせ、又は離すことができるものであれば、特に制限はなく、チャック式、ジッパー式、テープ式のものであってもよい。加えて、溶着部２１４は、図３に示すように、左右の端部は溶着せずに水が通るようになっているが、最も上（留め部材２１１側）の溶着部２１４’は、右又は左端部に寄せてもよい。このようにすることで、開口部Ｏの広がりを押さえられ、留め部材２１１で開口部Ｏを閉鎖し易くなるからである。このような構成とした場合、ホースで水を入れる位置が分かりやすいように、マーク２１７を付けても良い。
【００３５】
上記実施形態の重し形成用ポケット付き合成樹脂製シート２００において、重し形成用ポケット２１０の水貯蔵２１３は、複数の空気孔２１２を備えていてもよい。空気孔２１２は、太陽光からの熱を受けることにより、水貯蔵部１１３に貯蔵されている水から発生した気泡を外部に放出する役割を有する。水貯蔵部１１３に空気孔２１２を設けることによって、水が供給された後に分割された水貯蔵部１１３が膨張することを防ぐことができる。
【００３６】
＜第３実施形態＞
図４は、第３実施形態の重し形成用ポケット付き合成樹脂製シート２００を説明する図である。第３実施形態では、棟被覆部分Ｒを合成樹脂製シート１２０の真ん中に設定した例を示している。重し形成用ポケット付き１１０は、棟被覆部分Ｒを境界として、右半分側の合成樹脂製シート１２０に配置された重し形成用ポケット１１０と、左半分側の合成樹脂製シート１２０に配置された重し形成用ポケット１１０とに分かれている。
【００３７】
＜第４実施形態＞
図５は、第４実施形態の重し形成用ポケット付き合成樹脂製シート３００を説明する図である。第４実施形態では、正方形状の合成樹脂製シート３００を用いてもよい。図５に例示するようなシート３００は、例えば、方形屋根などに好適に使用することができる。
【００３８】
＜他の実施形態＞
以上、実施形態を参照して本願考案を説明したが、本願考案は上記実施形態に限定されるものではない。本願考案の構成や詳細には、本願考案の技術的範囲で当業者が理解し得る様々な変更をすることができる。
【産業上の利用可能性】
【００３９】
本考案の重し形成用ポケット付き合成樹脂製シートは、荒天等によって建物の屋根が破損した際に、仮設的に使用すれば、土嚢などの重しの持ち運びから解放されるので、女性や高齢者にとっても利用しやすい。また、本考案の重し形成用ポケット付き合成樹脂製シートは、破損した屋根のみならず、荒天が起こる前に、瓦屋根などの破損防止を目的として用いることもできるし、イベントテント（パイプテントなど）の天幕（雨よけ・日よけ）としても好適に利用され得る。さらに、本考案の重し形成用ポケット付き合成樹脂製シートが備えて重し形成用ポケットは、その水貯蔵部が表面シートと裏面シートの一部が溶着することにより形成された溶着部により複数に分割されているので強度にきわめて優れている。しかも、洗浄・乾燥後に再利用することも可能なので、廃材（災害関連ゴミ）を削減できるものである。このため、本考案の雨漏り防止用ポケットは、土木・建設事業、素材産業、環境事業等の産業の発達に寄与することができるので産業上有用である。
【符号の説明】
【００４０】
１００  第１実施形態の重し形成用ポケット付き合成樹脂製シート
１１０  重し形成用ポケット
１１１  表面シート
１１２  裏面シート
１１３  水貯蔵部
１１４  溶着部
１１５  接着部
１１６  排水用ノズル部
１１７  コック
１２０  合成樹脂製シート
Ｏ      開口部
Ｐ      合成樹脂製シートとの貼り付け面
２００  第２実施形態の重し形成用ポケット付き合成樹脂製シート
２１１  留め部材
２１２  空気孔
２１３  水貯蔵部
２１４  ２１４’  溶着部
２１８  マーク
３００  第３実施形態の重し形成用ポケット付き合成樹脂製シート
【図１】
0003233559.tif 000003
【図２】
0003233559.tif 000004
【図３】
0003233559.tif 000005
【図４】
0003233559.tif 000006
【図５】
0003233559.tif 000007